(57)【要約】【課題】左右一対の柱間に窓等を取付できるように補強できる建築用固定金具を提供する。【解決手段】一側柱２と他側柱３との間に水平に介在する建築用固定金具４において、板状の金具本体５の両側に一側段部28、他側段部30を介して一側柱２と他側柱３との一側固定部６、他側固定部19を設ける。一側段部28、他側段部30の内側に一側開口部32、他側開口部33を設け、一側段部28、他側段部30に第１のビードである第１のビード29，31を設け、一側開口部32、他側開口部33の開口縁に沿って第２の一側ビード35、第２の他側ビード36を環状に設ける。一側段部28、他側段部30により一側柱２、他側柱３との位置決めを行うことができ、しかもこの一側段部28、他側段部30を第１の一側ビード29、第１の他側ビード31によって補強でき、さらに一側開口部32、他側開口部33を形成したことで、一側開口部32、他側開口部33の変形を可能とし、変形により強力な外力を吸収できる。【選択図】図１
2007154423.tif 000002
【特許請求の範囲】
【請求項１】
一側柱と他側柱との間に水平に介在する建築用固定金具において、板状の金具本体の両側に段部を介して前記一側柱と他側柱との固定部をそれぞれ設けると共に、前記段部の内側に開口部を設け、前記段部に第１のビードを前記金具本体の横幅方向にわたって設け、前記開口部の開口縁に沿って第２のビードを環状に設けたことを特徴とする建築用固定金具。
【請求項２】
前記開口部を前記金具本体の一側及び他側に間隙をおいて設け、前記間隙に対応して第３のビードを設けたことを特徴とする請求項１記載の建築用固定金具。
【請求項３】
前記金具本体の上縁及び下縁に沿って第４のビードをそれぞれ設けたことを特徴とする請求項１又は２記載の建築用固定金具。
【請求項４】
前記固定部に固定具用貫通孔を形成すると共に、該固定具用貫通孔を前記柱側に窪んで形成したことを特徴とする請求項１〜３のいずれか１項に記載の建築用固定金具。
【請求項５】
前記固定部は縦方向に間隔をおいて複数設けたことを特徴とする請求項１〜４のいずれか１項に記載の建築用固定金具。
【発明の詳細な説明】
【技術分野】
【０００１】
本発明は、新築或いは建築改造に使用する建築用固定金具に関するものである。
【背景技術】
【０００２】
従来の建築用固定金具には、筋交いを沿わせて固定する平板部と、この平板部の一側縁から折曲して柱側に固定する垂直板と、前記平板部の下端縁から前記垂直板側に折曲して横材側に固定する水平板とを有し、これら平板部と垂直板と水平板に固定部材を通す複数の挿通孔を設けた筋交い固定金具が知られている（例えば特許文献１）。そして、このような固定金具によって筋交いを取り付けることで、左右一対の柱の補強を図ることができる。
【特許文献１】実用新案登録第３０４１２４７号公報
【発明の開示】
【発明が解決しようとする課題】
【０００３】
しかしながら、従来技術においては筋交いを取り付けることで、左右一対の柱の補強を行うものであるが、このような筋交いを設ける場合には、窓等の開口を左右一対の柱間に取り付けることはできないという問題があった。
【０００４】
解決しようとする問題点は、左右一対の柱間に窓等を取付できるように補強できる建築用固定金具を提供する点である。
【課題を解決するための手段】
【０００５】
請求項１の発明は、一側柱と他側柱との間に水平に介在する建築用固定金具において、板状の金具本体の両側に段部を介して前記一側柱と他側柱との固定部をそれぞれ設けると共に、前記段部の内側に開口部を設け、前記段部に第１のビードを前記金具本体の横幅方向にわたって設け、前記開口部の開口縁に沿って第２のビードを環状に設けたことを特徴とする建築用固定金具である。
【０００６】
請求項２の発明は、前記開口部を前記金具本体の一側及び他側に間隙をおいて設け、前記間隙に対応して第３のビードを設けたことを特徴とする請求項１記載の建築用固定金具である。
【０００７】
請求項３の発明は、前記金具本体の上縁及び下縁に沿って第４のビードをそれぞれ設けたことを特徴とする請求項１又は２記載の建築用固定金具である。
【０００８】
請求項４の発明は、前記固定部に固定具用貫通孔を形成すると共に、該固定具用貫通孔を前記柱側に窪んで形成したことを特徴とする請求項１〜３のいずれか１項に記載の建築用固定金具である。
【０００９】
請求項５の発明は、前記固定部は縦方向に間隔をおいて複数設けたことを特徴とする請求項１〜４のいずれか１項に記載の建築用固定金具である。
【発明の効果】
【００１０】
請求項１の発明によれば、段部を柱の角に係止して位置決めを行うことができ、しかもこの段部を第１のビードによって補強でき、さらに開口部を形成したことで、該開口部の変形を可能としたことで、変形により強力な外力を吸収でき、しかも開口部には第２のビードを設けて補強することができる。
【００１１】
請求項２の発明によれば、第３のビードを設けたことによって、開口部の間の補強を行って耐強度を向上することができる。
【００１２】
請求項３の発明によれば、第４のビードにより、金具本体の上縁及び下縁の補強を行って耐強度を向上することができる。
【００１３】
請求項４の発明によれば、窪んだ凹部が柱の表面に食込むことによって、固定金具と柱との固定力を増強することができる。
【００１４】
請求項５の発明によれば、複数の固定金具を隣接して取り付けるような場合の取り付けを容易にすることができる。
【発明を実施するための最良の形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図１〜図３は実施例１を示しており、土台１上に立設した一側柱２及び他側柱３の間に介在する建築用固定金具４は、正面を矩形とした平板状の金具本体５を備え、金具本体５の厚みがあらわれた横幅方向の端面が左右方向、すなわち一側柱２及び他側柱３の方向に向いており、金具本体５の厚みがあらわれた縦幅方向の端面が上下方向を向くように取り付けられる。
【００１７】
前記金具本体５の一側に設けられる一側柱２との固定部は、横幅方向の端面の上端から第１の一側固定部６、第１の一側間隙部７、第２の一側固定部８、第２の一側間隙部９、第３の一側固定部10、第３の一側間隙11、第４の一側固定部12及び第４の一側間隙部13が設けられている。そして、第１の一側固定部６、第２の一側固定部８、第３の一側固定部10、第４の一側固定部12には、釘や木螺子等の固定具15を挿入する第１の貫通孔16が前後方向にそれぞれ形成されている。第１の貫通孔16はその周囲に第１の凹部17を形成することにより窪んで形成されている。
【００１８】
一方、前記金具本体５の他側に設けられる他側柱３との固定部は、横幅方向の端面の上端から第１の他側間隙部18、第１の他側固定部19、第２の他側間隙部20、第２の他側固定部21、第３の他側間隙部22、第３の他側固定部23、第４の他側間隙部24及び第４の他側固定部25が設けられている。そして、第１の他側固定部19、第２の他側固定部21、第３の他側固定部23、第４の他側固定部25には、釘や木螺子等の固定具15を挿入する第２の貫通孔26が前後方向にそれぞれ形成されている。第２の貫通孔26はその周囲に第２の凹部27を形成することにより窪んで形成されている。そして、図１の一点鎖線で示すように前記金具本体５を隣接して並べたときには、第１の一側間隙部７に第１の他側固定部19が挿入し、第２の一側間隙部９に第２の他側固定部21が挿入し、第３の一側間隙11に第３の他側固定部23が挿入し、さらに第４の一側間隙部13に第４の他側固定部25が挿入するようになっている。
【００１９】
前記第１の一側固定部６、第２の一側固定部８、第３の一側固定部10、第４の一側固定部12の横幅方向の内側には一側段部28が縦幅方向にわたって設けられている。この一側段部28は図２において内側が奥側になるように凹設している。そして、一側段部28における上端側、第１の一側間隙部７と第２の一側固定部８との境界近傍、第３の一側間隙11と第４の一側固定部12との境界近傍、及び下端に第１の一側ビード29をそれぞれ設ける。この第１の一側ビード29は、一側段部28を横幅方向にわたって設けられるものである。すなわち、第１の一側ビード29は一側段部28をまたぐようにして横幅方向の両端は一側段部28の一側及び他側に配置されている。尚、ビードは、リブなども称せられており板状の金具本体５の厚み方向、図２では手前に凸状に突設したものであり、これは金属塑性加工により形成され所定方向に伸びる細長い突起によって形成されたものである。同様に第１の他側固定部19、第２の他側固定部21、第３の他側固定部23、第４の他側固定部25の横幅方向の内側には他側段部30が縦幅方向にわたって設けられており、この他側段部30には第１の他側ビード31が設けられている。
【００２０】
さらに、一側段部28と他側段部30との間には一側開口部32と他側開口部33が形成されている。これら一側開口部32と他側開口部33は、横幅方向が長軸となる同形の楕円形の窓孔であって、一側開口部32の横幅方向の長さと他側開口部33の横幅方向の長さの合計は、例えば金具本体５の横幅全長の１／４以上に形成されている。尚、１／４より小さくすると一側開口部32と他側開口部33の変形性能が劣るようになる。そして一側開口部32と他側開口部33の両者間には中央間隙34が設けられている。そして、一側開口部32の開口縁に沿って該開口縁のやや外側に間隔をおいて第２の一側ビード35が環状に設けられている。同様に他側開口部33の開口縁に沿って該開口縁のやや外側に第２の他側ビード36が環状に設けられている。
【００２１】
また、前記中央間隙34における縦幅方向の上部にはそれぞれ第３の上ビード37が設けられる。この第３の上ビード37の横幅方向両端は中央間隙34の横幅方向両端よりも外側に設けられている。同様に前記中央間隙34の縦幅方向の下部には第３の下ビード38が設けられる。
【００２２】
さらに、前記金具本体５の上部には、該金具本体５の上縁に沿って該上縁のやや下方に第４の一側上ビード39及び第４の他側上ビード40を設ける。これら第４の一側上ビード39及び第４の他側上ビード40は第３の上ビード37の上方に設けられている。そして、第４の一側上ビード39の一端は上段にある第１の一側ビード29とその次の上部にある第４の一側上ビード39との間に設けると共に、第４の一側上ビード39の他端は第３の上ビード37の横幅方向の内側に設けられている。第４の他側上ビード40の他端は上段にある第１の他側ビード31とその次の上部にある第１の他側上ビードとの間に設けると共に、第４の他側上ビード40の一端は第３の上ビード37の横幅方向の内側に設けられている。
【００２３】
同様に、前記金具本体５の下部には、該金具本体５の下縁に沿って該下縁のやや下方に第４の一側下ビード41及び第４の他側下ビード42を設ける。これら第４の下側上ビード及び第４の他側下ビード42は第３の下ビード38の下方に設けられている。そして、第４の一側下ビード41の一端は下段にある第１の一側ビード29とその次の下部にある第４の一側上ビード39との間に設けると共に、第４の一側下ビード41の他端は第３の上ビード37の横幅方向の内側に設けられている。第４の他側下ビード42の他端は下段にある第１の他側ビード31とその次の下部にある第１の他側下ビードとの間に設けると共に、第４の他側下ビード42の一端は第３の下ビード38の横幅方向の内側に設けられている。
【００２４】
さらに、金具本体５の上縁、下縁には屈曲部43が形成されている。この屈曲部43は図２において手前側に突設しており、その突出長は一側段部28、他側段部30の大きさとほぼ等しく形成されている。
【００２５】
尚、図中44は土台１と一側柱２又は他側柱３を固定する金属板からなる柱の固定金具であって、土台１の垂直面からなる正面に添着する金属製の土台正面添着用板材45の上部に、柱２，３の正面に添着する金属製の柱添着用板材46を一体に設け、これら土台正面添着用板材45、柱添着用板材46にはそれぞれ釘や木螺子等の固定具47Ａを挿入する第３の貫通孔47が形成されている。
【００２６】
同様に、図中44Ａは梁１Ａと一側柱２、他側柱３を固定する金属板からなる柱の固定金具であって、梁１Ａの垂直面からなる正面に添着する金属製の梁正面添着用板材45Ａの上部に、柱２，３の正面に添着する金属製の柱添着用板材46Ａを一体に設け、これら梁正面添着用板材45Ａ、柱添着用板材46Ａにはそれぞれ釘や木螺子等の固定具を挿入する第３の貫通孔47Ａが形成されている。尚、左右一対の土台正面添着用板材45の中央は切り欠かれており、この切り欠き部45Ａの幅は柱添着用板材46とほぼ同じに形成され、高さは土台１とほぼ同じに形成されている。これは、この切り欠き部45Ａに土台１と直交する別の土台（図示せず）が連結するために形成されたものである。
【００２７】
さらに、土台１と一側柱２又は他側柱３を固定する金属板からなる柱の固定金具44と、土台１を載置する鉄筋コンクリートなどの基礎48との間に、土台１と基礎48とを連結する連結装置49を介在する。この連結装置49は、土台正面添着用板材45に垂直部50Ａが添着固定されると共に、該垂直部50Ａと一体となって上部に横向きとなって張り出す横向き部50Ｂを備えた土台１側の固定金具50と、基礎48の垂直面に垂直部51Ａが添着固定されると共に、該垂直部51Ａと一体となって上部に横向きとなって張り出す横向き部51Ｂを備えた基礎48側の固定金具51と、土台１側の固定金具50と基礎48側の固定金具51とを固定する連結手段たる連結棒52によって構成される。尚、垂直部50Ａの左右縁と横向き部50Ｂの左右縁との間にはそれぞれ補強板部50Ｃが介在している。同様に、垂直部51Ａの左右縁と横向き部51Ｂの左右縁との間にはそれぞれ補強板部51Ｃが介在している。
【００２８】
そして、固定金具50は垂直部50Ａに設けた横向き孔（図示せず）にボルト53又は螺子棒を通すと共に、このボルト53又は螺子棒を土台正面添着用板材45の第３の貫通孔47、土台１を貫通して、その端をナット53Ａで緊締する。また、固定金具51は垂直部51Ａに設けた横向き孔54にボルト55又は螺子棒を通すと共に、このボルト55を土台正面添着用板材45の第３の貫通孔47、土台１を貫通して、その端をナット55Ａで緊締する。さらに、横向き部50Ｂに形成した孔（図示せず）を上下方向に連結棒52の上部は貫通すると共に、横向き部51Ｂに形成した孔55を上下方向に連結棒52の下部は貫通し、そして、横向き部50Ｂの上面、横向き部51Ｂの下面にそれぞれストッパーとしてのナット52Ａが連結棒52に設けられている。
【００２９】
次に前記構成についてその作用を説明する。木造建築のリフォームの際、一側柱２及び他側柱３の間に固定金具４を上下に間隔をおいてそれぞれ架設する。この間隔に窓サッシ（図示せず）が取り付けられるものである。
【００３０】
前記固定金具４の架設は、一側柱２の正面に第１の一側固定部６、第２の一側固定部８、第３の一側固定部10、第４の一側固定部12を当接すると共に、一側柱２の角に一側段部28の裏側を係止する。また他側柱３の正面に第１の他側固定部19、第２の他側固定部21、第３の他側固定部23、第４の他側固定部25を当接すると共に、他側柱３の角に一側段部28の裏側を係止することで一側柱２、他側柱３と固定金具４との位置決めがなされる。次に第１の貫通孔16に固定具15を挿入する。この挿入の圧力によって第１の一側固定部６、第２の一側固定部８、第３の一側固定部10、第４の一側固定部12が一側柱２に圧着すると、第１の凹部17が表面に食込む。同様に第２の貫通孔26に固定具15を挿入する。この挿入の圧力によって第１の他側固定部19、第２の他側固定部21、第３の他側固定部23、第４の他側固定部25が他側柱３に圧着すると、第２の凹部27が表面に食込んで一側柱２と他側柱３の間に固定金具４が固定具15による固定力の他に、第１の凹部17、第２の凹部27が表面に食込むことで固定力を発揮して固定される。
【００３１】
したがって、地震が生じて一側柱２と他側柱３に外力が加わったときには、固定金具４は一側柱２と他側柱３とを保持するように外力に抗することができる。この外力に抗する耐力は、金具本体５における板状の金属強度の他に、第１の一側ビード29、第１の他側ビード31によって、一側段部28、他側段部30の補強を行うものである。また、第２の一側ビード35、第２の他側ビード36によって孔あきされた一側開口部32と他側開口部33の補強を行うものである。さらに、第３の上ビード37、第３の下ビード38によって一側開口部32と他側開口部33との中央間隙34の補強を行い、また第４の一側上ビード39、第４の他側上ビード40によって、一側開口部32と他側開口部33における金具本体５の上縁側、下縁側の補強を行うことができる。
【００３２】
そして、外力が一定以上になると固定金具４が変形を始める。この変形にあっては第１の一側ビード29と第４の一側上ビード39との間、第２の一側ビード35と第４の一側上ビード39との間、第３の上ビード37と第４の一側上ビード39との間のようにそれぞれビード自体ではなく、ビードとビードの間の金具本体５の部位が変形して、外力に抗する。
【００３３】
さらに、さらなる大きい外力が加わると一側開口部32と他側開口部33に変形が生じて外力に抗するものである。
【００３４】
このようにして、固定金具４は一側柱２と他側柱３間の耐力壁と同様な作用を発揮する。
【００３５】
また、柱の固定金具44を設けたことで、土台１と一側柱２又は他側柱３を確実に固定することができ、さらに、固定金具44と、土台１を載置する鉄筋コンクリートなどの基礎48との間に、土台１と基礎48とを連結する連結装置49を介在することで、基礎48と固定金具44との固定、ひいては基礎48と土台１と一側柱２又は他側柱３との固定を強固なものとすることができる。
【００３６】
以上のように、前記実施例では一側柱２と他側柱３との間に水平に介在する建築用固定金具４において、板状の金具本体５の両側に一側段部28、他側段部30を介して前記一側柱２と他側柱３との固定部たる第１の一側固定部６、第２の一側固定部８、第３の一側固定部10、第４の一側固定部12、第１の他側固定部19、第２の他側固定部21、第３の他側固定部23、第４の他側固定部25をそれぞれ設けると共に、前記一側段部28、他側段部30の内側に一側開口部32、他側開口部33を設け、前記一側段部28、他側段部30に第１のビードである第１の一側ビード29、第１の他側ビード31を前記金具本体５の横幅方向にわたって設け、前記一側開口部32、他側開口部33の開口縁に沿って第２のビードである第２の一側ビード35、第２の他側ビード36を環状に設けたことにより、前記一側段部28、他側段部30により一側柱２、他側柱３との位置決めを行うことができ、しかもこの一側段部28、他側段部30を第１の一側ビード29、第１の他側ビード31によって補強でき、さらに一側開口部32、他側開口部33を形成したことで、一側開口部32、他側開口部33の変形を可能としたことで、変形により強力な外力を吸収でき、しかも一側開口部32、他側開口部33には第２のビードである第２の一側ビード35、第２の他側ビード36によって一側開口部32、他側開口部33を補強することで該一側開口部32、他側開口部33の補強を行うことができ、いっそう耐力を向上することができる。
【００３７】
また、前記一側開口部32、他側開口部33を前記金具本体５の一側及び他側に中央間隙34をおいて設け、前記中央間隙34に対応して第３のビードである第３の上ビード37、第３の下ビード38を設けたことによって、一側開口部32、他側開口部33の間の補強を行って耐強度を向上することができる。
【００３８】
さらに、前記金具本体５の上縁及び下縁に沿って第４のビードである第４の一側上ビード39、第４の他側上ビード40、第４の一側下ビード41、第４の他側下ビード42をそれぞれ設けたことによって、金具本体５の上縁及び下縁の補強を行って耐強度を向上することができる。
【００３９】
しかも、前記第１の一側固定部６、第２の一側固定部８、第３の一側固定部10、第４の一側固定部12、第１の他側固定部19、第２の他側固定部21、第３の他側固定部23、第４の他側固定部25に固定具15用の第１の貫通孔16、第２の貫通孔26を形成すると共に、該第１の貫通孔16、第２の貫通孔26を前記一側柱２、他側柱３側に窪んで形成したことにより、固定具15を第１の貫通孔16、第２の貫通孔26に通して一側柱２、他側柱３に固定した際、窪んだ第１の凹部17、第２の凹部27が一側柱２、他側柱３の表面に食込むことによって、固定金具４と一側柱２、他側柱３との固定力を増強することができる。
【００４０】
さらに、前記第１の一側固定部６、第２の一側固定部８、第３の一側固定部10、第４の一側固定部12、第１の他側固定部19、第２の他側固定部21、第３の他側固定部23、第４の他側固定部25は縦方向に間隔をおいて複数設けたことで、固定金具４を隣接して設けるような場合、第１の一側固定部６、第２の一側固定部８との間に第１の他側固定部19を配置するようなことができ、複数の固定金具４の取り付けを容易にすることができる。
【産業上の利用可能性】
【００４１】
以上のように本発明にかかる固定金具は窓を設置しない箇所等の用途にも適用できる。
【図面の簡単な説明】
【００４２】
【図１】本発明の実施例１を示す斜視図である。
【図２】本発明の実施例１を示す正面図である。
【図３】本発明の実施例１を示す要部の断面図である。
【図４】本発明の実施例１を示す固定金具の斜視図である。
【符号の説明】
【００４３】
２  一側柱
３  他側柱
４  固定金具
５  金具本体
６  第１の一側固定部
８  第２の一側固定部
10  第３の一側固定部
12  第４の一側固定部
15  固定具
16  第１の貫通孔
17  第１の凹部
19  第１の他側固定部
21  第２の他側固定部
23  第３の他側固定部
25  第４の他側固定部
26  第２の貫通孔
27  第２の凹部
28  一側段部
29  第１の一側ビード
30  他側段部
31  第１の他側ビード
32  一側開口部
33  他側開口部
34  中央間隙
35  第２の一側ビード
36  第２の他側ビード
37  第３の上ビード
38  第３の下ビード
39  第４の一側上ビード
40  第４の他側上ビード
41  第４の一側下ビード
42  第４の他側下ビード
【図１】
2007154423.tif 000003
【図２】
2007154423.tif 000004
【図３】
2007154423.tif 000005
【図４】
2007154423.tif 000006